(57)【要約】【課題】長時間浴室に展示しても破れたり、皺が寄ったり、文字・絵柄が滲むことのない、浴室展示に適した風呂用カレンダーを提供する。【解決手段】合成樹脂を主原料とし、内部に微細な空孔が生成された合成紙により構成され、日付及び日付に関連する情報６が印刷された複数のカレンダー用紙２と、非金属物質により構成され、前記複数のカレンダー用紙２を綴じ合わせる保持具３とを備え、前記印刷に用いられるインク５は、ビヒクルに植物油を含有し、耐水性を有するものであることを特徴とする風呂用カレンダー１。【選択図】        図１
0003110671.tif 000002
【実用新案登録請求の範囲】
【請求項１】
合成樹脂を主原料とし、内部に微細な空孔が生成された合成紙により構成され、日付及び日付に関連する情報が印刷された複数のカレンダー用紙と、
非金属物質により構成され、前記複数のカレンダー用紙を綴じ合わせる保持具とを備え、
前記印刷に用いられるインクは、ビヒクルに植物油を含有し、耐水性を有するものである
ことを特徴とする風呂用カレンダー。
【請求項２】
前記保持具を浴室の壁に取り付ける吸盤をさらに備える
ことを特徴とする請求項１に記載の風呂用カレンダー。
【考案の詳細な説明】
【技術分野】
【０００１】
本考案は、日付等を表示するカレンダーに関するものであり、特に、浴室で閲覧するのに適した風呂用カレンダーに関するものである。
【背景技術】
【０００２】
従来より、日付に関する様々な情報を表示する手段として、紙面等に日付や絵等を印刷して展示する、所謂カレンダーが多用されてきた。例えば一家庭内においても、日めくり、月毎、年毎など機能別のカレンダーや、風景や人物等の写真を日付と一緒に表示するような、趣向別のカレンダー等様々な種類の複数のカレンダーが部屋毎に展示されていることが多く見受けられる。
【０００３】
一方、古来より、日本人には温泉や銭湯に親しむ文化があり、比較的長い時間を浴室で過ごす習慣があったが、昨今では、そうした集団での入浴に加えて、心身の疲労回復や精神のリラクゼーションを目的とした一般家庭での入浴スタイルが見直されてきている。例えば、入浴剤を用いて、お湯の中に温泉成分等を投入し温泉の成分や香りを楽しむスタイルや、半身浴ダイエットのように、数時間に渡って湯船に漬かり、読書や音楽鑑賞を楽しむといったスタイルなどが確立されている。
【０００４】
このように、浴室でゆったりと時間を過ごす場合には、現在やこれからのスケジュールを整理したり、思索に耽りたい場合があるが、そうした際にはカレンダーで現在の日付やこれからの日程などを確認したい場合が多い。
【考案の開示】
【考案が解決しようとする課題】
【０００５】
しかし、浴室に、特に入浴中の浴室にカレンダーを展示することは極めて困難であった。これは、汎用のカレンダーは紙でできていることが大半であるため、湿度や温度によって、また、体を洗浄する際のお湯がカレンダーにかかるなどして紙が膨張してしまい、比較的短期間にカレンダー用紙に皺が寄り、破れてしまうためであった。さらに、カレンダー用紙に文字や絵を印刷しているインクが、浴室中の水分に溶け込んで滲んでしまい、文字や絵の識別が難しくなるという問題点があった。
【０００６】
そこで、本考案は、上記の実情に鑑み、長時間浴室に展示しても破れたり、皺が寄ったり、文字・絵柄が滲むことのない、浴室展示に適した風呂用カレンダーを提供することを課題とする。
【課題を解決するための手段】
【０００７】
本考案にかかる風呂用カレンダーは、「合成樹脂を主原料とし、内部に微細な空孔が生成された合成紙により構成され、日付及び日付に関連する情報が印刷された複数のカレンダー用紙と、非金属物質により構成され、前記複数のカレンダー用紙を綴じ合わせる保持具とを備え、前記印刷に用いられるインクは、ビヒクルに植物油を含有し、耐水性を有するものであることを特徴とする」ものである。
【０００８】
本考案の風呂用カレンダーによれば、合成樹脂を主原料とする合成紙をカレンダー用紙として適用するため、通常の紙素材を適用する場合に比べて耐水性に優れる。また、各種合成紙のうち、内部に微細な空孔が生成された合成紙をカレンダー用紙に適用していることにより、同一厚さのコート紙等に比べ比較的軽量である。さらに、大きな一枚ものとしてではなく複数のカレンダー用紙によって構成されているため、コンパクト化が容易である。また、内部に微細な空孔が生成されている合成紙を適用することにより、耐久性を損なうことなく引き裂き伝播抵抗が小さいカレンダーを提供できる。一方、ビヒクルに植物油を含有する特殊紙用のインクを適用することで、非吸収性素材である合成紙に自由に印刷することができ、且つ耐水性に優れ滲み難いカレンダーを提供できる。また、非金属物質（例えば、ゴムやプラスチックなど）の保持具を用いることで、水に濡れても錆び難い構成となっている。
【０００９】
また、本考案の風呂用カレンダーにおいて、「前記保持具を浴室の壁に取り付ける吸盤をさらに備える」ものとすることができる。
【００１０】
本考案の風呂用カレンダーによれば、保持具には、吸盤がさらに備えられているため、リビングなどに比べて穴を開ける場所が限定されがちな浴室の壁にも、比較的簡単にカレンダーを取り付けることができる。また、吸盤を適用することにより、水に濡れても錆びにくく、仮に体が接触しても怪我等をし難い風呂用カレンダーを提供できる。
【考案の効果】
【００１１】
このように、本考案の風呂用カレンダーによれば、カレンダー用紙に合成紙を適用しているため、長時間水や蒸気に晒されても破れたり、皺が寄って変形するようなことが無い。また、比較的軽量でコンパクトなためずれたり落下したりし難く、浴室のような高温多湿の環境であっても長時間安定して展示することができる。また、カレンダー用紙として、内部に微細な空孔が生成された合成紙を適用するため、引き裂き伝播抵抗が小さい。これにより、ミシン目などを入れておくことで容易に破断することができ、使用済みの頁を簡単に捨てることができ便利である。一方、ビヒクルに植物油を含有する特殊紙用のインクを適用することで、耐水性に優れ、且つ日付等の印刷が滲み難い風呂用カレンダーを提供できる。さらに、保持具に非金属物質を適用していることにより、保持具が錆びることがなく、一層長時間の展示に適した風呂用カレンダーを提供できる。
【考案を実施するための最良の形態】
【００１２】
以下、本考案の実施形態である風呂用カレンダーについて、図１及び図２に基づき説明する。図１は、本考案の風呂用カレンダーを示す説明図であり、図２は風呂用カレンダーの使用態様を示す説明図である。
【００１３】
図１に示すように、本考案の風呂用カレンダー１は、複数のカレンダー用紙２と、カレンダー用紙２を綴じ合わせる保持具３と、保持具３を浴室の壁に取り付ける吸盤４とを備える。カレンダー用紙２は、内部に微細な空孔が生成された合成紙により構成されている。合成紙とは、合成樹脂を主原料として製造され、プラスチックフィルムの特性を有するとともに紙に似た外観及び質感を有するシート材料全般を指し示す。合成パルプ紙やトレーシングペーパー等様々な種類のものが存在するが、本考案においては、二軸延伸フィルム成形法によって作製され、内部に微細な空孔（以下、「ミクロボイド」と称す）が生成されている合成紙（例えば、ユポ・コーポレーション製の商標名「ユポ」）を適用している。また、カレンダー用紙２の上部には、ミシン目１０が形成されており、当該ミシン目１０に沿って引き裂き破き捨てることで、不要な頁を簡単に取り除けるよう考慮されている。
【００１４】
カレンダー用紙２には、耐水性を有するインク５によって日付及び日付に関連する（曜日や日柄等）情報６（以下、日付情報等６と称す）が印刷されている。なお、合成紙のような特殊用紙は、非吸収性素材であるためインクが乾き難く、一般インク（通常の紙印刷に用いられるインク）を適用することが難しい。そこで、本考案では、カレンダー用紙に日付等を印刷する手段として、ビヒクルに植物油を含有し耐水性を有する特殊紙用インク５を適用している。インク５としては、合成紙に安定して印刷できるものであれば如何なるものであっても良いが、本考案では、水幅の狭さや機上乾燥等の問題を低減し、優れた網点再現性を有する大豆油インク（例えば、大日本インキ化学工業株式会社製の商品名「ナチュラリス１００ｐｏｐ」）を適用している。
【００１５】
また、インク５によってカレンダー用紙５に印刷される情報としては、少なくとも日付情報等６が印刷されていることが好ましいが、これ以外の情報が印刷されていると、風呂用カレンダー１の趣味性や実用性が広がる可能性があり、より好ましい。本考案においては、各種動物等の絵柄７をさらに印刷して、閲覧者の興味や注目度を向上させ、または精神のリラクゼーション効果をより向上させるべく図られている。また、ことわざや豆知識等の文章情報８や企業広告９なども付加させることで、閲覧者の注目度向上だけではなく、風呂用カレンダー１の商業性の向上等も図られている。さらに、これら各種情報を頁ごとに変更することで、閲覧者の興味を長引かせることができ、効果的である。
【００１６】
日付情報等６の表示形態は特に限定されるものではないが、本考案では一ページで２ヶ月の日付情報等６を表示し、６枚で一年分を一冊の風呂用カレンダー１として構成している。一ページで一ヶ月または三ヶ月以上としても良く、複数年分を一冊として構成しても良い。要するに、閲覧者が日付情報等６を確認できる表示であれば如何なるものであっても良いが、一冊の風呂用カレンダー１において、一年分の日付情報等６を複数枚で構成すると、比較的小型化でき、展示場所の自由度が高いため好適である。なお、日付情報等６、絵柄７、文章情報８、及び企業広告９などの配置は、図１の構成に限られるものではなく自由に変更可能である。
【００１７】
複数のカレンダー用紙２は、保持具３によって綴じ合わされている。保持具３は非金属物質であり、本考案においては合成樹脂によって形成され、カレンダー用紙２の上部を挟み込んで保持するものである。保持具３の構成としては、これに限定されるものではなく、穴が穿設されたカレンダー用紙２を布やプラスチックの固定具で締め上げてファイリングしたり、複数のカレンダー用紙２を接着剤で互いに固着させるものであっても良いが、本実施形態のように、比較的着脱が容易な保持具３によって保持する構成とすると、廃棄処分する際に分別が容易であり、より好適である。
【００１８】
保持具３には、吸盤４がさらに備えられている。吸盤４は、ゴム等の弾力性のある物質で構成されるものであり、浴室の壁に吸着させることによって保持具３を浴室の壁に保持させるものである。保持具３を浴室の壁に取り付ける方法としては、この他にも粘着層、面ファスナー、鋲、または磁石等様々な方法が考えられるが、本考案のように、吸盤４を用いる構成とすると、浴室の壁を傷つけることなく、且つ壁材の材質に依拠することなく取り付けることができるため、より簡便である。
【００１９】
次に、本考案の風呂用カレンダー１の使用方法について、図２に基づき説明する。まず、風呂用カレンダー１を展示する場所を決める。浴室Ｙ内の壁であれば何所であっても良く、入浴スタイルによって適宜選択可能であるが、比較的ゆったりとした姿勢で風呂用カレンダー１を閲覧できるように、浴槽１１に近い場所の壁１２などを選択すると、より好適である。そして、選択した壁１２の水気をふき取り、吸盤４を押し付け、保持具３を壁１２に取り付ける。このようにして、風呂用カレンダー１を浴室Ｙ内で閲覧することが可能となる。なお、油性の筆記用具を保持具３などに取り付けておくことで、入浴時に浮かんだアイデアやメモ書きしたい事項等を随時書き込むことも可能となる。また、不要になった頁は、ミシン目１０（図１参照）に添って破り捨てることで、新しい頁を展示することができる。
【００２０】
このように、本実施の形態によると、ミクロボイドを有する合成紙をカレンダー用紙２に適用することで、軽くて耐水性に優れ、浴室内に長期間展示できる風呂用カレンダー１を実現できる。また、ビヒクルに大豆油を使用するインク５によって日付情報等６を印刷しているため、耐水性に優れ、且つ揮発性有機化合物（ＶＯＣ）成分が発生しないエコロジーな風呂用カレンダー１を提供できる。さらに、ミクロボイドを有する合成紙を適用し、ミシン目１０を設けていることにより、比較的簡単に引き裂くことができ、頁交換が容易な風呂用カレンダー１を提供できる。
【００２１】
また、本実施形態によると、吸盤４が備えられているため、浴室の壁１２に傷を付けることなく簡単に風呂用カレンダー１を取り付けることができる。一方、保持具３がプラスチックによって形成されているため、金属である場合などに比べて比較的軽量であり、水に濡れても錆び難い。従って、浴室Ｙ内での長時間の展示に耐え得る風呂用カレンダー１を提供できる。また、カレンダー用紙２が複数枚で構成されていることにより、一枚ものの大きなカレンダーに比べて、展示場所に制限が少なく、ずれ落ちる可能性も低い。従って、より使いやすい風呂用カレンダー１が提供できる。さらに、吸盤４は弾性体であるので、仮に壁１２から落下して、人体に接触することがあっても、比較的怪我のし難い安全な風呂用カレンダー１を提供できる。
【００２２】
以上、本考案を実施するための最良の実施の形態を挙げて説明したが、本考案はこの実施の形態に限定されるものではなく、以下に示すように本考案の趣旨を逸脱しない範囲において、種々の改良および設計の変更が可能である。
【００２３】
すなわち、上記の実施形態によれば、保持具３は複数のカレンダー用紙２の上部を綴じ合わせるものとしたが、これに限定されるものではなく、カレンダー用紙２の下部や左右端部側を保持するものであっても良い。例えば、図示は省略するが、左右端部側と下部とを保持するプラスチックトレーの中に、複数枚のカレンダー用紙２を挿入する構成であっても良いし、透明の袋状物質で構成された保持具３の中にカレンダー用紙２を投入する構成であっても良い。要するに、複数のカレンダー用紙２を浴室Ｙ内の壁１２に取り付け、日付情報等６を閲覧可能な状態に保持できるものであれば、如何なるものであっても良い。
【００２４】
上記の実施形態によれば、カレンダー用紙２には、絵柄７や文章情報８、及び企業広告９を印刷する構成としたが、これに限定されるものではなく、日付情報等６のみを印刷する構成としても良い。また、温度によって色の変わるインク（所謂サーモクロミックインク）を適用して浴室Ｙの室温を視覚的に把握できる構成としても良いし、香りのするシートを貼着させ、さらなるリラクゼーション効果の向上を図るものとしても良い。但し、上記の実施形態のように、特殊紙印刷用のインク５のみを用いて印刷する構成とすると、比較的安価に、且つエコロジーな風呂用カレンダー１を提供できるため、より好ましい。
【００２５】
また、上記の実施形態によれば、吸盤４を直接浴室Ｙの壁１２に取り付ける構成を例示したが、この構成に限定されるものではない。例えば、木質材等で構成される壁１２に対して吸盤４を取り付ける際は、吸着力が弱まって落下しやすくなる場合も考えられるが、このような場合には、壁１２に対して、補助材（図示しない）等を取り付け、この補助材に対して吸盤４を取り付ける構成とすることもできる。より詳細には、表面が滑らかに形成され、裏面に接着剤等が塗布された補助材を用い、補助材の裏面を壁１２に対して取り付け、表面に吸盤４を取り付ける。このように構成することで、補助材を介して吸盤４が安定して壁１２に取り付けられ、風呂用カレンダー１を落下し難くすることができ、好適である。
【図面の簡単な説明】
【００２６】
【図１】本考案の風呂用カレンダーを示す説明図である。
【図２】風呂用カレンダーの使用態様を表した説明図である。
【符号の説明】
【００２７】
１  風呂用カレンダー
２  カレンダー用紙
３  保持具
４  吸盤
５  インク
６  日付と日付に関連する情報（日付情報等６）
１２  壁
Ｙ  浴室
【図１】
0003110671.tif 000003
【図２】
0003110671.tif 000004